(57)【要約】【課題】固相担体表面に固定化した抗原又は抗体の感度が高い抗原又は抗体固定化粒子及び免疫測定試薬の製造方法を提供する。【解決手段】表面に抗原（Ａ）又は抗体（Ｂ）を固定化した粒子（Ｃ）を、グリシン及びゼラチンを含有する水溶液（Ｄ）中に２５〜４５℃の温度で１〜１４日間浸漬する工程（Ｉ）を含む抗原又は抗体固定化粒子の製造方法。水溶液（Ｄ）中のグリシンの含有量は０．５〜１０重量％であることが好ましく、ゼラチンの含有量は０．５〜１０重量％であることが好ましい。【選択図】なし【特許請求の範囲】
【請求項１】
表面に抗原（Ａ）又は抗体（Ｂ）を固定化した粒子（Ｃ）を、グリシン及びゼラチンを含有する水溶液（Ｄ）中に２５〜４５℃の温度で１〜１４日間浸漬する工程（Ｉ）を含む抗原又は抗体固定化粒子の製造方法。
【請求項２】
水溶液（Ｄ）中のグリシンの含有量が０．５〜１０重量％であり、ゼラチンの含有量が０．５〜１０重量％である請求項１に記載の製造方法。
【請求項３】
ゼラチンに対するグリシンの重量比率［グリシン／ゼラチン］が、０．００５〜２０である請求項１又は２に記載の製造方法。
【請求項４】
水溶液（Ｄ）に対する粒子（Ｃ）の重量比率［（Ｃ）／（Ｄ）］が、０．０００１〜０．０１である請求項１〜３のいずれか１項に記載の製造方法。
【請求項５】
水溶液（Ｄ）のｐＨが４〜９である請求項１〜４のいずれか１項に記載の製造方法。
【請求項６】
請求項１〜５のいずれか１項に記載の製造方法により得られる抗原又は抗体固定化粒子を用いる免疫測定試薬の製造方法。
【請求項７】
請求項１〜５のいずれか１項に記載の製造方法により得られる抗原又は抗体固定化粒子を用いる免疫測定方法。
【発明の詳細な説明】
【技術分野】
【０００１】
本発明は、抗原又は抗体固定化粒子及び免疫測定試薬の製造方法並びに免疫測定方法に関する。
【背景技術】
【０００２】
免疫測定試薬においては、主要構成要素として固相担体となる磁性粒子やガラスビーズ等の表面に測定対象物質、測定対象物質の類似物質、又は測定対象物質と特異的に結合する物質、例えば、抗原、抗体を固定化したものがある。免疫測定試薬においては、固相上に固定化した物質が高い活性を保持していることが望まれる。活性が低いと、感度が低くなり初期段階の病気を見逃したり、同時再現性が低下し測定値がばらつくことで病気の判定が困難になったりするため、免疫測定試薬としては大きな問題である。
【０００３】
免疫測定試薬における感度向上の方法としては、特許文献１のようにシグナルを増強する方法や、特許文献２及び３のように非特異反応を抑制することでノイズを減らす方法がある。
【先行技術文献】
【特許文献】
【０００４】
【特許文献１】特開２０１０−３２５２９号公報
【特許文献２】特開２０１３−２０５４０８号公報
【特許文献３】特開２００７−１２７４３８号公報
【発明の概要】
【発明が解決しようとする課題】
【０００５】
しかしながら、上記特許文献１〜３に記載の方法では高感度化が十分ではなく、免疫測定試薬における抗体や抗原等のさらなる高感度化が望まれている。特に、多数検体同時迅速検査を目的とした自動免疫測定装置の開発において、免疫測定試薬における抗体や抗原等の高感度化が望まれている。
本発明は、固相担体表面に固定化した抗原又は抗体の感度が高い抗原又は抗体固定化粒子及び免疫測定試薬の製造方法を提供することを目的とする。
【課題を解決するための手段】
【０００６】
本発明者らは、上記目的を達成するため鋭意検討した結果、本発明に到達した。
即ち本発明は、表面に抗原（Ａ）又は抗体（Ｂ）を固定化した粒子（Ｃ）を、グリシン及びゼラチンを含有する水溶液（Ｄ）中に２５〜４５℃の温度で１〜１４日間浸漬する工程（Ｉ）を含む抗原又は抗体固定化粒子の製造方法；前記製造方法により得られる抗原又は抗体固定化粒子を用いる免疫測定試薬の製造方法；前記製造方法により得られる抗原又は抗体固定化粒子を用いる免疫測定方法である。
【発明の効果】
【０００７】
本発明の製造方法は、固相担体表面に固定化した抗原又は抗体の感度が高い抗原又は抗体固定化粒子及び免疫測定試薬を製造することができる。したがって、本発明の製造方法により得られた抗原又は抗体固定化粒子を用いれば、免疫測定試薬を高感度化し、検出限界を向上させることが可能となる。また、本発明の免疫測定試薬は、検出限界が高い。
尚、本発明において「感度」とは、ノイズに対するシグナルの比率（シグナル／ノイズ）のことであり、「高感度」とは、測定対象物が入っているサンプルを免疫測定試薬で測定した場合の発光量（シグナル）を、測定対象物が入っていないサンプルを免疫測定試薬で測定した場合の発光量（ノイズ）で割った値が大きいことを意味する。
【発明を実施するための形態】
【０００８】
本発明の抗原又は抗体固定化粒子の製造方法は、表面に抗原（Ａ）又は抗体（Ｂ）を固定化した粒子（Ｃ）を水溶液（Ｄ）中に１〜１４日間浸漬する工程（Ｉ）を含む抗原又は抗体固定化粒子の製造方法であって、水溶液（Ｄ）中にグリシン及びゼラチンを含有し、水溶液（Ｄ）の温度が２５〜４５℃である抗原又は抗体固定化粒子の製造方法である。
【０００９】
粒子（Ｃ）とは一般的に免疫測定に用いられるものであれば特に限定はされず、例えばガラスビーズ、ポリスチレンビーズ、磁性粒子、マイクロプレート、ラテックス等が代表的なものとして挙げられる。
これらの内、免疫測定における測定時間の短時間化の観点から、磁性粒子が好ましく、特開２０１４−２１０６８０号公報及び特開２０１３−０１９８８９号公報等に記載の公知の磁性シリカ粒子が更に好ましい。
粒子（Ｃ）を含む粒子組成物（Ｄ）は、免役測定用試薬及びたんぱく質精製等に使用できるが、これらの中で免役測定用試薬の用途が最も好ましい。
【００１０】
磁性シリカ粒子は、シリカのマトリックス中に平均粒子径が１〜１５ｎｍで超常磁性を有する金属酸化物が分散されているものである。超常磁性とは、外部磁場の存在下で物質の個々の原子磁気モーメントが整列し誘発された一時的な磁場を示し、外部磁場を取り除くと、部分的な整列が損なわれ磁場を示さなくなることをいう。
【００１１】
平均粒子径が１〜１５ｎｍで超常磁性を示す超常磁性金属酸化物としては、鉄、コバルト、ニッケル及びこれらの合金等の酸化物が挙げられるが、磁界に対する感応性が優れていることから、酸化鉄が特に好ましい。超常磁性金属酸化物は、１種を単独で用いても２種以上を併用してもよい。
【００１２】
磁性シリカ粒子中の超常磁性金属酸化物の含有量の下限は、６０重量％が好ましく、更に好ましくは６５重量％であり、上限は９５重量％が好ましく、更に好ましくは８０重量％である。超常磁性金属酸化物の含有量が６０重量％以上であると、得られた磁性シリカ粒子の磁性が十分であるため、実際の用途面における分離操作に時間がかからない。９５重量％以下のものは合成が容易である。
【００１３】
本発明における抗原（Ａ）としては、一般的免疫測定の分野で使用されるものであれば特に限定はされず、具体的には、ヌクレオチド鎖（オリゴヌクレオチド鎖、ポリヌクレオチド鎖）；染色体；ペプチド鎖（例えばＣ−ペプチド、アンジオテンシンＩ等）、タンパク質〔例えばプロカルシトニン、免疫グロブリンＡ（ＩｇＡ）、免疫グロブリンＥ（ＩｇＥ）、免疫グロブリンＧ（ＩｇＧ）、免疫グロブリンＭ（ＩｇＭ）、免疫グロブリンＤ（ＩｇＤ）、β２−ミクログロブリン、アルブミン、これらの分解産物、フェリチン等の血清タンパク質〕；酵素〔例えばアミラーゼ（例えば膵型、唾液腺型、Ｘ型等）、アルカリホスファターゼ（例えば肝性、骨性、胎盤性、小腸性等）、酸性ホスファターゼ（例えばＰＡＰ等）、γ−グルタミルトランスファラーゼ（例えば腎性、膵性、肝性等）、リパーゼ（例えば膵型、胃型等）、クレアチンキナーゼ（例えばＣＫ−１、ＣＫ−２、ｍＣＫ等）、乳酸脱水素酵素（例えばＬＤＨ１〜ＬＤＨ５等）、グルタミン酸オキザロ酢酸トランスアミナーゼ（例えばＡＳＴｍ、ＡＳＴｓ等）、グルタミン酸ピルビン酸トランスアミナーゼ（例えばＡＬＴｍ、ＡＬＴｓ等）、コリンエステラーゼ（例えばＣｈＥ１〜ＣｈＥ５等）、ロイシンアミノペプチダーゼ（例えばＣ−ＬＡＰ、ＡＡ、ＣＡＰ等）、レニン、プロテインキナーゼ、チロシンキナーゼ等〕及びこれら酵素のインヒビター、ホルモン（例えばＰＴＨ、ＴＳＨ、インスリン、ＬＨ、ＦＳＨ、プロラクチン等）、レセプター（例えばエストロゲン、ＴＳＨ等に対するレセプター）；リガンド（例えばエストロゲン、ＴＳＨ等）；例えば細菌（例えば結核菌、肺炎球菌、ジフテリア菌、髄膜炎菌、淋菌、ブドウ球菌、レンサ球菌、腸内細菌、大腸菌、ヘリコバクター・ピロリ等）、ウイルス（例えばルベラウイルス、ヘルペスウイルス、肝炎ウイルス、ＡＴＬウイルス、ＡＩＤＳウイルス、インフルエンザウイルス、アデノウイルス、エンテロウイルス、ポリオウイルス、ＥＢウイルス、ＨＡＶ、ＨＢＶ、ＨＣＶ、ＨＩＶ、ＨＴＬＶ等）、真菌（例えばカンジダ、クリプトコッカス等）、スピロヘータ（例えばレプトスピラ、梅毒トレポネーマ等）、クラミジア、マイコプラズマ等の微生物；当該微生物に由来するタンパク質又はペプチド或いは糖鎖抗原；気管支喘息、アレルギー性鼻炎、アトピー性皮膚炎等のアレルギーの原因となる各種アレルゲン（例えばハウスダスト、例えばコナヒョウダニ、ヤケヒョウダニ等のダニ類、例えばスギ、ヒノキ、スズメノヒエ、ブタクサ、オオアワガエリ、ハルガヤ、ライムギ等の花粉、例えばネコ、イヌ、カニ等の動物、例えば米、卵白等の食物、真菌、昆虫、木材、薬剤、化学物質等に由来するアレルゲン等）；脂質（例えばリポタンパク質等）；プロテアーゼ（例えばトリプシン、プラスミン、セリンプロテアーゼ等）；腫瘍マーカータンパク抗原（例えばＰＳＡ、ＰＧＩ、ＰＧＩＩ等）；糖鎖抗原〔例えばＡＦＰ（例えばＬ１からＬ３等）、ｈＣＧ（ｈＣＧファミリー）、トランスフェリン、ＩｇＧ、サイログロブリン、Ｄｅｃａｙ−ａｃｃｅｌｅｒａｔｉｎｇ−ｆａｃｔｏｒ（ＤＡＦ）、癌胎児性抗原（例えばＣＥＡ、ＮＣＡ、ＮＣＡ−２、ＮＦＡ等）、ＣＡ１９−９、ＰＩＶＫＡ−ＩＩ、ＣＡ��２５、前立腺特異抗原、癌細胞が産生する特殊な糖鎖を有する腫瘍マーカー糖鎖抗原、ＡＢＯ糖鎖抗原等〕；糖鎖（例えばヒアルロン酸、β−グルカン、上記糖鎖抗原等が有する糖鎖等）；糖鎖に結合するタンパク質（例えばヒアルロン酸結合タンパク、βグルカン結合タンパク等）；リン脂質（例えばカルジオリピン等）；リポ多糖（例えばエンドトキシン等）；化学物質（例えばＴ３、Ｔ４、例えばトリブチルスズ、ノニルフェノール、４−オクチルフェノール、フタル酸ジ−ｎ−ブチル、フタル酸ジシクロヘキシル、ベンゾフェノン、オクタクロロスチレン、フタル酸ジ−２−エチルヘキシル等の環境ホルモン）；人体に投与・接種される各種薬剤及びこれらの代謝物；アプタマー；核酸結合性物質等が挙げられる。
【００１４】
本発明における抗体（Ｂ）としては、一般的に免疫測定の分野で使用されるものであれば特に限定はされず、抗原（Ａ）として例示したものに対する抗体等が挙げられる。尚、本発明において用いられる抗体には、パパインやペプシン等の蛋白質分解酵素、或いは化学的分解により生じるＦａｂ、Ｆ（ａｂ’）２フラグメント等の分解産物も包含される。
【００１５】
本発明における粒子（Ｃ）に、抗原（Ａ）又は抗体（Ｂ）を固定化する方法としては、上述の粒子（Ｃ）に抗原（Ａ）又は抗体（Ｂ）を物理吸着させる方法が挙げられるが、より効率良く抗原（Ａ）又は抗体（Ｂ）を固定化させる観点から、グルタルアルデヒド、アルブミン、カルボジイミド、ストレプトアビジン、ビオチン及び官能基を有するアルキルアルコキシシランからなる群から選ばれる少なくとも１種の有機化合物を粒子（Ｃ）表面に結合させ、それらを介して抗原（Ａ）又は抗体（Ｂ）を粒子（Ｃ）に固定化させることが好ましい。
【００１６】
本発明の製造方法は、グリシン及びゼラチンを含有する水溶液（Ｄ）中に上記粒子（Ｃ）を浸漬する工程（Ｉ）を含む。
水溶液（Ｄ）中のグリシンの含有量は、水溶液（Ｄ）の重量を基準として、抗原（Ａ）又は抗体（Ｂ）の安定性の観点から、０．５〜１０重量％が好ましく、更に好ましくは１．０〜８重量％であり、特に好ましくは１．５〜５重量％である。
尚、本発明において、「抗原（Ａ）又は抗体（Ｂ）の安定性」とは、粒子含有組成物又は免疫測定用試薬の作製直後と一定期間保存後の抗原（Ａ）又は抗体（Ｂ）の活性の変化が少ないことを意味する。
水溶液（Ｄ）中のゼラチンの含有量は、水溶液（Ｄ）の重量を基準として、操作性の観点から、０．５〜１０重量％が好ましく、更に好ましくは１．０〜８重量％であり、特に好ましくは１．５〜５重量％である。
水溶液（Ｄ）中のゼラチンに対するグリシンの重量比率［グリシン／ゼラチン］は、抗原（Ａ）又は抗体（Ｂ）の安定性の観点から、０．００５〜２０が好ましく、更に好ましくは０．０１〜１０であり、特に好ましくは０．１〜５である。
工程（Ｉ）において、粒子（Ｃ）を水溶液（Ｄ）中に浸漬する際の水溶液（Ｄ）に対する粒子（Ｃ）の重量比率［（Ｃ）／（Ｄ）］は、感度の観点から、０．００００１〜０．０１が好ましく、更に好ましくは０．００００５〜０．００５、特に好ましくは０．０００１〜０．００２である。
【００１７】
本発明におけるゼラチンには、公知のゼラチンが含まれ、分子量及び性状に限定はなく、いかなる動物（ホ乳類、鳥類及び魚類等）から取得したものであってもよい。ゼラチンとしては例えばコラーゲンを酸又はアルカリによる化学処理後、加熱処理して製造した酸処理ゼラチン及びアルカリ処理ゼラチン等を挙げることができる。更にこのゼラチンをアミノ基、イミノ基、カルボキシル基、メルカプト基及び水酸基等の官能基を周知の方法を利用し導入し、化学的に修飾したゼラチン誘導体を用いることもできる。
【００１８】
本発明の水溶液（Ｄ）中には、更にラクトース、牛血清アルブミン、塩化ナトリウム及びリン酸等を含有してもよい。
水溶液（Ｄ）中のラクトースの含有量は、感度及び抗原（Ａ）又は抗体（Ｂ）の安定性の観点から、水溶液（Ｄ）の重量を基準として、０〜４０重量％が好ましく、更に好ましくは１〜３０重量％であり、特に好ましくは５〜２０重量％である。
水溶液（Ｄ）中の牛血清アルブミンの含有量は、感度及び抗原（Ａ）又は抗体（Ｂ）の安定性の観点から、水溶液（Ｄ）の重量を基準として、０〜５重量％が好ましく、更に好ましくは０．０１〜３重量％であり、特に好ましくは０．０５〜１重量％である。
水溶液（Ｄ）中の塩化ナトリウムの含有量は、感度及び抗原（Ａ）又は抗体（Ｂ）の安定性の観点から、水溶液（Ｄ）の重量を基準として、０〜５重量％が好ましく、更に好ましくは０．１〜３重量％であり、特に好ましくは０．５〜１．５重量％である。
水溶液（Ｄ）中のリン酸の含有量は、感度及び抗原（Ａ）又は抗体（Ｂ）の安定性の観点から、水溶液（Ｄ）の重量を基準として、０〜５重量％が好ましく、更に好ましくは０．０５〜３重量％であり、特に好ましくは０．１〜１重量％である。
【００１９】
工程（Ｉ）における水溶液（Ｄ）のｐＨは、抗原（Ａ）又は抗体（Ｂ）の安定性の観点から、４〜９が好ましく、更に好ましくは５．５〜７．５である。
【００２０】
工程（Ｉ）における水溶液（Ｄ）の温度は、２５〜４５℃であり、抗原（Ａ）又は抗体（Ｂ）の安定性の観点から、２８〜４２℃が好ましく、更に好ましくは３０〜４０℃である。温度が２５℃未満であると、ゼラチンの凝固が始まり取扱いが困難であり、温度が４５℃より高いと固定化した抗体又は抗原の劣化し、本発明の効果が得られなくなる。
【００２１】
工程（１）において粒子（Ｃ）を水溶液（Ｄ）中に浸漬する時間は、感度の観点から、１〜１４日間であり、好ましくは１〜１０日間、更に好ましくは１〜７日間である。
【００２２】
本発明の製造方法により得られた抗原又は抗体固定化粒子を用いて免疫測定試薬とすることができる。免疫測定試薬としては、本発明の製造方法により得られた抗原又は抗体固定化粒子を用いたものであれば制限はないが、工程（Ｉ）により得られた溶液（高感度となった抗原又は抗体固定化粒子、グリシン、ゼラチン及び水を含む溶液）を、そのまま免疫測定試薬として用いてもよい。
【００２３】
本発明の製造方法で得られた抗原又は抗体固定化粒子は、免疫測定に用いることができる。
免疫測定法としては、文献［例えば、酵素免疫測定法第２版（石川栄治ら編集、医学書院）１９８２年］記載のサンドイッチ法、競合法及び特開平６−１３００６３号公報記載の方法、具体的には以下の３種の方法等が挙げられる。
＜第１の方法：サンドイッチ法＞
粒子（Ｃ）が、測定対象物質（Ｅ）と特異的に結合する物質（測定対象物質結合物質）としての抗原（Ａ）又は抗体（Ｂ）をその表面に固定化しているものであって、測定対象物質（Ｅ）を含む試料と、粒子（Ｃ）と、標識物質により標識された測定対象物質結合物質（標識測定対象物質結合物質）（Ｆ）とを接触させて、粒子（Ｃ）上に測定対象物質結合物質としての抗原（Ａ）又は抗体（Ｂ）と測定対象物質（Ｅ）と標識測定対象物質結合物質（Ｆ）との複合体［標識複合体（Ｇ）］を形成させ、標識複合体（Ｇ）を担持した粒子をＢ／Ｆ分離して、標識複合体（Ｇ）中の標識物質量を測定し、その結果に基づいて前記試料中の測定対象物質（Ｅ）を測定する。
【００２４】
＜第２の方法：競合法１＞
粒子（Ｃ）が、測定対象物質（Ｅ）又は測定対象物質の類似物質（Ｅ１）としての抗原（Ａ）又は抗体（Ｂ）をその表面に固定化しているものであって、測定対象物質（Ｅ）を含む試料と、標識物質により標識された測定対象物質と特異的に結合する物質（標識測定対象物質結合物質）（Ｆ）と、粒子（Ｃ）とを接触させて、粒子（Ｃ）上に抗原（Ａ）又は抗体（Ｂ）と標識測定対象物質結合物質（Ｆ）との複合体［標識複合体（Ｇ）］を形成させ、標識複合体（Ｇ）を担持した粒子をＢ／Ｆ分離して、標識複合体（Ｇ）中の標識物質量を測定し、その結果に基づいて試料中の測定対象物質（Ｅ）を測定する。
【００２５】
＜第３の方法：競合法２＞
粒子（Ｃ）が、測定対象物質と特異的に結合する物質（測定対象物質結合物質）としての抗原（Ａ）又は抗体（Ｂ）をその表面に固定化しているものであって、測定対象物質（Ｅ）を含む試料と、標識物質により標識された測定対象物質（Ｆ）又は測定対象物質の類似物質［標識測定対象物質（Ｆ）又はその類似物質］と粒子（Ｃ）とを接触させて、磁性シリカ粒子上に抗原（Ａ）又は抗体（Ｂ）と標識測定対象物質（Ｆ）又はその類似物質との複合体［標識複合体（Ｇ）］を形成させ、標識複合体（Ｇ）を担持した粒子をＢ／Ｆ分離して、標識複合体中の標識物質量を測定し、その結果に基づいて試料中の測定対象物質を測定する。
【００２６】
測定対象物質（Ｅ）としては、一般的に免疫測定の分野で使用されるものであれば特に限定はされず、例えば血清、血液、血漿、尿等の生体体液、リンパ液、血球、各種細胞類等の生体由来の試料中に含まれるタンパク質、脂質タンパク質、核酸、免疫グロブリン、血液凝固関連因子、抗体、酵素、ホルモン、癌マーカー、心疾患マーカー及び各種薬物等が代表的なものとして挙げられる。更に具体的には、例えばアルブミン、ヘモグロビン、ミオグロビン、トランスフェリン、プロテインＡ、Ｃ反応性蛋白質（ＣＲＰ）等のタンパク質、例えば高比重リポ蛋白質（ＨＤＬ）、低比重リポ蛋白質（ＬＤＬ）、超低比重リポ蛋白質等の脂質蛋白質、例えばデオキシリボ核酸（ＤＮＡ）、リボ核酸（ＲＮＡ）等の核酸、例えばアルカリ性ホスファターゼ、アミラーゼ、酸性ホスファターゼ、γ−グルタミルトランスフェラーゼ（γ−ＧＴＰ）、リパーゼ、クレアチンキナーゼ（ＣＫ）、乳酸脱水素酵素（ＬＤＨ）、グルタミン酸オキザロ酢酸トランスアミナーゼ（ＧＯＴ）、グルタミン酸ピルビン酸トランスアミナーゼ（ＧＰＴ）、レニン、プロテインキナーゼ（ＰＫ）、チロシンキナーゼ等の酵素、例えばＩｇＧ、ＩｇＭ、ＩｇＡ、ＩｇＤ、ＩｇＥ等の免疫グロブリン（或はこれらの、例えばＦｃ部、Ｆａｂ部、Ｆ（ａｂ）２部等の断片）、例えばフィブリノーゲン、フィブリン分解産物（ＦＤＰ）、プロトロンビン、トロンビン等の血液凝固関連因子、例えば抗ストレプトリジンＯ抗体、抗ヒトＢ型肝炎ウイルス表面抗原抗体（ＨＢｓ抗原）、抗ヒトＣ型肝炎ウイルス抗体、抗リュウマチ因子等の抗体、例えば甲状腺刺激ホルモン（ＴＳＨ）、甲状腺ホルモン（ＦＴ３、ＦＴ４、Ｔ３、Ｔ４）、副甲状腺ホルモン（ＰＴＨ）、ヒト絨毛性ゴナドトロピン（ｈＣＧ）エストラジオール（Ｅ２）等のホルモン、例えばα−フェトプロテイン（ＡＦＰ）、癌胎児性抗原（ＣＥＡ）、ＣＡ１９−９、前立腺特異抗原（ＰＳＡ）等の癌マーカー、例えばトロポニンＴ（ＴｎＴ）、ヒト脳性ナトリウム利尿ペプチド前駆体Ｎ端フラグメント（ＮＴ−ｐｒｏＢＮＰ）等の心疾患マーカー、例えば抗てんかん薬、抗生物質、テオフィリン等の薬物等が挙げられる。
上記したものの中でも、抗原（Ａ）又は抗体（Ｂ）の安定性の観点から、抗体、ホルモン、癌マーカー及び心疾患マーカーが好ましい。
【実施例】
【００２７】
以下、実施例により、本発明を更に説明するが、本発明はこれに限定されるものではない。
【００２８】
＜製造例１＞
○表面に抗ＮＴ−ｐｒｏＢＮＰポリクローナル抗体（Ｂ−１）を固定化した粒子（Ｃ−１）の作製
１重量％γ−アミノプロピルトリエトキシシラン含有水溶液４０ｍＬの入った蓋付きポリスチレン瓶に製造した磁性シリカ粒子（商品名：マグラピッド、三洋化成工業（株）製）４０ｍｇを加え、２５℃で１時間反応させ、ネオジウム磁石で磁性シリカ粒子を集磁後、液をアスピレーターで吸引除去した。次いで脱イオン水４０ｍＬを加えて蓋をし、ポリスチレン瓶をゆっくりと２回倒置攪拌した後、ネオジウム磁石で磁性シリカ粒子を集磁後、液をアスピレーターで吸引除去して磁性シリカ粒子を洗浄した。この洗浄操作を５回行った。次いで、この洗浄後の磁性シリカ粒子を２重量％グルタルアルデヒド含有水溶液４０ｍＬの入った蓋付きポリスチレン瓶に加え、２５℃で１時間反応させた。そして、脱イオン水４０ｍＬを加えて蓋をし、ポリスチレン瓶をゆっくりと２回倒置攪拌したのち、ネオジウム磁石で磁性シリカ粒子を集磁後、液をアスピレーターで吸引除去して磁性シリカ粒子を洗浄した。この洗浄操作を１０回行った。更にこの洗浄後の磁性シリカ粒子を抗ＮＴ−ｐｒｏＢＮＰポリクローナル抗体（Ｒｏｃｈｅ（株）製）１０μｇ／ｍＬの濃度で含む０．０２Ｍリン酸緩衝液（ｐＨ８．７）１２０ｍＬの入った蓋付きポリスチレン瓶に加え、２５℃で１時間反応させた。反応後、ネオジウム磁石で磁性シリカ粒子を集磁後、抗ＰＳＡモノクローナル抗体含有リン酸緩衝液を除去した。次いで、磁性シリカ粒子を１重量％の牛血清アルブミン含有の０．０２Ｍリン酸緩衝液（ｐＨ７．０）４０ｍＬの入った蓋付きポリエチレン瓶に加え、２５℃で１２時間浸漬させた。これにより、抗ＮＴ−ｐｒｏＢＮＰポリクローナル抗体固定化粒子（Ｃ−１）を得た。
【００２９】
＜製造例２＞
○表面に抗ＡＦＰモノクローナル抗体（Ｂ−２）を固定化した粒子（Ｃ−２）の作製
製造例１において、「ＮＴ−ｐｒｏＢＮＰポリクローナル抗体」に代えて「抗ＡＦＰモノクローナル抗体（ダコ・サイトメーション（株）製）」を使用した以外は同様に行い、抗ＡＦＰモノクローナル抗体固定化粒子（Ｃ−２）を得た。
【００３０】
＜製造例３＞
○表面に抗ＣＥＡポリクローナル抗体（Ｂ−３）を固定化した粒子（Ｃ−３）の作製
製造例１において、「ＮＴ−ｐｒｏＢＮＰポリクローナル抗体」に代えて「抗ＣＥＡモノクローナル抗体（フナコシ（株）製）」を使用した以外は同様に行い、抗ＣＥＡポリクローナル抗体固定化粒子（Ｃ−３）を得た。
【００３１】
＜製造例４＞
○表面に抗ＣＡ１９−９モノクローナル抗体（Ｂ−４）を固定化した粒子（Ｃ−４）の作製
製造例１において、「ＮＴ−ｐｒｏＢＮＰポリクローナル抗体」に代えて「抗ＣＡ１９−９モノクローナル抗体（フナコシ（株）製）」を使用した以外は同様に行い、抗ＡＣＡ１９−９モノクローナル抗体固定化粒子（Ｃ−４）を得た。
【００３２】
＜製造例５＞
○表面に抗Ｔ３モノクローナル抗体（Ｂ−５）を固定化した粒子（Ｃ−５）の作製
製造例１において、「ＮＴ−ｐｒｏＢＮＰポリクローナル抗体」に代えて「抗Ｔ３モノクローナル抗体（フナコシ（株）製）」を使用した以外は同様に行い、抗Ｔ３モノクローナル抗体固定化粒子（Ｃ−５）を得た。
【００３３】
＜製造例６＞
○表面に抗Ｔ４モノクローナル抗体（Ｂ−６）を固定化した粒子（Ｃ−６）の作製
製造例１において、「ＮＴ−ｐｒｏＢＮＰポリクローナル抗体」に代えて「抗Ｔ４モノクローナル抗体（フナコシ（株）製）」を使用した以外は同様に行い、抗Ｔ４モノクローナル抗体固定化粒子（Ｃ−６）を得た。
【００３４】
＜製造例７＞
○表面に抗Ｃ−ペプチドモノクローナル抗体（Ｂ−７）を固定化した粒子（Ｃ−７）の作製
製造例１において、「ＮＴ−ｐｒｏＢＮＰポリクローナル抗体」に代えて「抗Ｃ−ペプチドモノクローナル抗体（フナコシ（株）製）」を使用した以外は同様に行い、抗Ｃ−ペプチドモノクローナル抗体固定化粒子（Ｃ−７）を得た。
【００３５】
＜製造例８＞
○表面に抗インスリンポリクローナル抗体（Ｂ−８）を固定化した粒子（Ｃ−８）の作製
製造例１において、「ＮＴ−ｐｒｏＢＮＰポリクローナル抗体」に代えて「抗インスリンポリクローナル抗体（フナコシ（株）製）」を使用した以外は同様に行い、抗インスリンポリクローナル抗体固定化粒子（Ｃ−８）を得た。
【００３６】
＜製造例９＞
○表面に抗ＰＳＡモノクローナル抗体（Ｂ−９）を固定化した粒子（Ｃ−９）の作製
製造例１において、「ＮＴ−ｐｒｏＢＮＰポリクローナル抗体」に代えて「抗ＰＳＡモノクローナル抗体（フナコシ（株）製）」を使用した以外は同様に行い、抗ＰＳＡモノクローナル抗体固定化粒子（Ｃ−９）を得た。
【００３７】
＜製造例１０＞
○表面に抗トロポニンＴモノクローナル抗体（Ｂ−１０）を固定化した粒子（Ｃ−１０）の作製
製造例１において、「ＮＴ−ｐｒｏＢＮＰポリクローナル抗体」に代えて「抗トロポニンＴモノクローナル抗体（フナコシ（株）製）」を使用した以外は同様に行い、抗トロポニンＴモノクローナル抗体固定化粒子（Ｃ−１０）を得た。
【００３８】
＜製造例１１＞
○表面に抗ＣＡ１２５モノクローナル抗体（Ｂ−１１）を固定化した粒子（Ｃ−１１）の作製
製造例１において、「ＮＴ−ｐｒｏＢＮＰポリクローナル抗体」に代えて「抗ＣＡ１２５モノクローナル抗体（フナコシ（株）製）」を使用した以外は同様に行い、抗ＣＡ１２５モノクローナル抗体固定化粒子（Ｃ−１１）を得た。
【００３９】
＜製造例１２＞
○表面に抗ＮＳＥモノクローナル抗体（Ｂ−１２）を固定化した粒子（Ｃ−１２）の作製
製造例１において、「ＮＴ−ｐｒｏＢＮＰポリクローナル抗体」に代えて「抗ＮＳＥモノクローナル抗体（フナコシ（株）製）」を使用した以外は同様に行い、抗ＮＳＥモノクローナル抗体固定化粒子（Ｃ−１２）を得た。
【００４０】
＜製造例１３＞
○表面に抗ＣＡ１５−３モノクローナル抗体（Ｂ−１３）を固定化した粒子（Ｃ−１３）の作製
製造例１において、「ＮＴ−ｐｒｏＢＮＰポリクローナル抗体」に代えて「抗ＣＡ１５−３モノクローナル抗体（フナコシ（株）製）」を使用した以外は同様に行い、抗ＣＡ１５−３モノクローナル抗体固定化粒子（Ｃ−１３）を得た。
【００４１】
＜製造例１４＞
○表面に抗ＰＩＶＫＡモノクローナル抗体（Ｂ−１４）を固定化した粒子（Ｃ−１４）の作製
製造例１において、「ＮＴ−ｐｒｏＢＮＰポリクローナル抗体」に代えて「抗ＰＩＶＫＡモノクローナル抗体（コスモ・バイオ（株）製）」を使用した以外は同様に行い、抗ＰＩＶＫＡモノクローナル抗体固定化粒子（Ｃ−１４）を得た。
【００４２】
＜製造例１５＞
○表面に抗Ｃｙｆｒａモノクローナル抗体（Ｂ−１５）を固定化した粒子（Ｃ−１５）の作製
製造例１において、「ＮＴ−ｐｒｏＢＮＰポリクローナル抗体」に代えて「抗Ｃｙｆｒａモノクローナル抗体（フナコシ（株）製）」を使用した以外は同様に行い、抗Ｃｙｆｒａモノクローナル抗体固定化粒子（Ｃ−１５）を得た。
【００４３】
＜製造例１６＞
○表面に抗ＨＩＶモノクローナル抗体（Ｂ−１６）を固定化した粒子（Ｃ−１６）の作製
製造例１において、「ＮＴ−ｐｒｏＢＮＰポリクローナル抗体」に代えて「抗ＨＩＶモノクローナル抗体（（フナコシ（株）製）」を使用した以外は同様に行い、抗ＨＩＶモノクローナル抗体固定化粒子（Ｃ−１６）を得た。
【００４４】
＜製造例１７＞
○表面に抗ＨＩＶ抗原（Ｂ−１７）を固定化した粒子（Ｃ−１７）の作製
製造例１において、「ＮＴ−ｐｒｏＢＮＰポリクローナル抗体」に代えて「抗ＨＩＶ抗原（フナコシ（株）製）」を使用した以外は同様に行い、抗ＨＩＶ抗原固定化粒子（Ｃ−１７）を得た。
【００４５】
＜製造例１８＞
○表面に抗ＨＣＶ抗原（Ｂ−１８）を固定化した粒子（Ｃ−１８）の作製
製造例１において、「ＮＴ−ｐｒｏＢＮＰポリクローナル抗体」に代えて「抗ＨＣＶ抗原（フナコシ（株）製）」を使用した以外は同様に行い、抗ＨＣＶ抗原固定化粒子（Ｃ−１８）を得た。
【００４６】
＜製造例１９＞
○表面に抗ＴＲ抗原（Ｂ−１９）を固定化した粒子（Ｃ−１９）の作製
製造例１において、「ＮＴ−ｐｒｏＢＮＰポリクローナル抗体」に代えて「抗ＴＲ抗原（フナコシ（株）製）」を使用した以外は同様に行い、抗ＴＲ抗原固定化粒子（Ｃ−１９）を得た。
【００４７】
＜製造例２０＞
○表面に抗Ｔｇ抗原（Ｂ−２０）を固定化した粒子（Ｃ−２０）の作製
製造例１において、「ＮＴ−ｐｒｏＢＮＰポリクローナル抗体」に代えて「抗Ｔｇ抗原（フナコシ（株）製）」を使用した以外は同様に行い、抗Ｔｇ抗原固定化粒子（Ｃ−２０）を得た。
【００４８】
＜製造例２１＞
○表面に抗ＴＰＯ抗原（Ｂ−２１）を固定化した粒子（Ｃ−２１）の作製
製造例１において、「ＮＴ−ｐｒｏＢＮＰポリクローナル抗体」に代えて「抗ＴＰＯ抗原（フナコシ（株）製）」を使用した以外は同様に行い、抗ＴＰＯ抗原固定化粒子（Ｃ−２１）を得た。
【００４９】
＜実施例１＞
○高感度化した抗ＮＴ−ｐｒｏＢＮＰポリクローナル抗体固定化粒子（１）を含む粒子組成物（Ｅ−１）の製造
０．１重量％の牛血清アルブミン、０．８５重量％の塩化ナトリウム（和光純薬工業（株）製）、及び１０重量％のラクトース１水和物（和光純薬工業（株）製）、５重量％グリシン（和光純薬工業（株）製）、５重量％ゼラチン（和光純薬工業（株）製）を含有させた０．０２Ｍリン酸緩衝液（ｐＨ７．０）の水溶液（Ｄ１）を調製し、その後、抗ＮＴ−ｐｒｏＢＮＰポリクローナル抗体固定化粒子（Ｃ−１）を１ｍｇ／ｍＬとなるように添加、攪拌して粒子組成物（１）を得た。更に、得られた粒子組成物（１）を１．５ｍＬクライオチューブ（サーモフィッシャーサイエンティフィック（株）製）に１ｍＬ移し変えて、３０℃で７日間保管し、高感度化した抗ＮＴ−ｐｒｏＢＮＰポリクローナル抗体固定化粒子（１）を含む粒子組成物（Ｅ−１）を製造した。
【００５０】
＜実施例２〜１０＞
○高感度化した抗ＮＴ−ｐｒｏＢＮＰポリクローナル抗体固定化粒子（２）〜（１０）を含む粒子組成物（Ｅ−２）〜（Ｅ−１０）の製造
実施例１において、０．０２Ｍリン酸緩衝液の水溶液（Ｄ１）中のグリシン及びゼラチンの含有量を表１の含有量（重量％）とし、保温期間及び保温温度を表１に記載の期間（日）及び温度（℃）とし、粒子濃度及びｐＨを表１に記載のものとする以外は同様にして、高感度化した抗ＮＴ−ｐｒｏＢＮＰポリクローナル抗体固定化粒子（２）〜（１０）を含む粒子組成物（Ｅ−２）〜（Ｅ−１０）を製造した。
【００５１】
＜実施例１１〜３０＞
○高感度化した抗体固定化粒子（１１）〜（３０）を含む粒子組成物（Ｅ−１１）〜（Ｅ−３０）の製造
実施例６において、「ＮＴ−ｐｒｏＢＮＰポリクローナル抗体固定化粒子（Ｃ−１）」に代えて製造例２〜２１で得た粒子（Ｃ−２）〜（Ｃ−２１）をそれぞれ用いる以外は同様にして表３及び表４に記載の通り高感度化した抗体固定化粒子（１１）〜（３０）を含む粒子組成物（Ｅ−１１）〜（Ｅ−３０）を製造した。
【００５２】
＜比較例１〜４＞
○比較用の粒子組成物（Ｈ−１）〜（Ｈ−４）の製造
実施例１において、０．０２Ｍリン酸緩衝液の水溶液（Ｄ１）中の各成分の組成を表２に記載のものとし、３０℃で７日間保管せずに、得られた粒子組成物をそのまま比較用の粒子組成物（Ｈ−１）〜（Ｈ−４）とした。
【００５３】
＜比較例５〜８＞
実施例１において、０．０２Ｍリン酸緩衝液の水溶液（Ｄ１）中の各成分の組成を表２に記載のものとし、保温期間及び保温温度を表２に記載の期間（日）及び温度（℃）とする以外は同様にして、比較用の粒子組成物（Ｈ−５）〜（Ｈ−８）を製造した。
【００５４】
＜比較例９〜２８＞
○比較用の粒子組成物（Ｈ−９）〜（Ｈ−２８）の製造
比較例４において、「ＮＴ−ｐｒｏＢＮＰポリクローナル抗体固定化粒子（Ｃ−１）」に代えてそれぞれ粒子（Ｃ−２）〜（Ｃ−２１）を用いる以外は同様にして、表５及び表６に記載の通り比較用の粒子組成物（Ｈ−９）〜（Ｈ−２８）を製造した。
【００５５】
【表１】
2018119959.tif 000002
【００５６】
【表２】
2018119959.tif 000003
【００５７】
【表３】
2018119959.tif 000004
【００５８】
【表４】
2018119959.tif 000005
【００５９】
【表５】
2018119959.tif 000006
【００６０】
【表６】
2018119959.tif 000007
【００６１】
表１〜６における各成分の濃度は水溶液の重量を基準としたものである。
【００６２】
得られた粒子組成物（Ｅ−１）〜（Ｅ−３０）及び（Ｈ−１）〜（Ｈ−２８）を用いて、以下の方法により免疫測定における抗体固定化粒子の感度を評価した。結果を表１〜６に示す。
【００６３】
＜評価＞
○標識試薬の作製：
抗ＮＴ−ｐｒｏＢＮＰポリクローナル抗体、西洋ワサビ由来ＰＯＤ（東洋紡製）を用い、文献（エス・ヨシタケ、エム・イマガワ、イー・イシカワ、エトール；ジェイ．バイオケム，Ｖｏｌ．９２，１９８２，１４１３−１４２４）に記載の方法でＰＯＤ標識抗ＮＴ−ｐｒｏＢＮＰ抗体を調製した。これを０．５重量％の牛血清アルブミン含有の０．０２Ｍリン酸緩衝液（ｐＨ７．０）で、ＰＯＤ標識抗ＮＴ−ｐｒｏＢＮＰ体濃度として２０ｎＭの濃度に希釈し、標識試薬を調製し、冷蔵（２〜１０℃）で保存した。
【００６４】
また、抗ＡＦＰモノクローナル抗体、抗ＣＥＡモノクローナル抗体、抗ＣＡ１９−９モノクローナル抗体、Ｔ３、Ｔ４、抗Ｃ−ペプチドモノクローナル抗体、抗インスリンポリクローナル抗体、抗ＰＳＡモノクローナル抗体、抗トロポニンＴモノクローナル抗体、抗ＣＡ１２５モノクローナル抗体、抗ＮＳＥモノクローナル抗体、抗ＣＡ１５−３モノクローナル抗体、抗ＰＩＶＫＡモノクローナル抗体、抗Ｃｙｆｒａモノクローナル抗体、抗ＨＩＶモノクローナル抗体、抗ＨＩＶ抗体モノクローナル抗体、抗ＨＣＶ抗体モノクローナル抗体、抗ＴＲ抗体モノクローナル抗体、抗Ｔｇ抗体モノクローナル抗体及び抗ＴＰＯ抗体モノクローナル抗体についても、抗ＮＴ−ｐｒｏＢＮＰポリクローナル抗体と同様にＰＯＤ標識化し、２０ｎＭの濃度に希釈し、標識試薬を調製し、冷蔵（２〜１０℃）で保存した。
【００６５】
○化学発光試薬第１液の調製：
ルミノールのナトリウム塩［シグマ  アルドリッチ  ジャパン（株）製］０．７ｇ及び４−（シアノメチルチオ）フェノール０．１ｇを１，０００ｍＬメスフラスコに仕込んだ。３−［４−（２−ヒドロキシエチル）−１−ピペラジニル］プロパンスルホン酸／水酸化ナトリウム緩衝液（１０ｍＭ、ｐＨ８．６）を溶液の容量が１，０００ｍＬになるように仕込み、２５℃で均一混合して化学発光試薬第１液を調製した。測定に用いるまで冷蔵（２〜１０℃）保存した。
【００６６】
○化学発光試薬第２液の調製：
１，０００ｍＬ及び過酸化水素［和光純薬工業（株）製、試薬特級、濃度３０重量％］６．６ｇを１，０００ｍＬメスフラスコに仕込んだ。脱イオン水を溶液の容量が１，０００ｍＬになるように仕込み、２５℃で均一混合して化学発光試薬第２液を調製した。測定に用いるまで冷蔵（２〜１０℃）保存した。
【００６７】
＜粒子組成物（Ｅ−１）〜（Ｅ−１０）及び（Ｈ−１）〜（Ｈ−８）の感度評価方法＞
下記シグナルの評価方法及びノイズの評価方法により得られたノイズ値に対するシグナル値の比率（シグナル／ノイズ）を感度の値として算出した。結果を表１及び表２に示す。
尚、感度の値が高いほど、高感度であることを意味する。
【００６８】
＜粒子組成物（Ｅ−１）〜（Ｅ−１０）及び（Ｈ−１）〜（Ｈ−８）のシグナルの評価方法＞
粒子組成物０．０２５ｍＬとウマ血清で調製したＮＴ−ｐｒｏＢＮＰ濃度が１０ｎｇ／ｍＬの標準ＮＴ−ｐｒｏＢＮＰ液０．０２５ｍＬを試験管に入れて混合、試験管中で３７℃３分間反応させ、抗ＮＴ−ｐｒｏＢＮＰ抗体結合磁性シリカ粒子／ＮＴ−ｐｒｏＢＮＰ複合体を形成させた。反応後、試験管の外側からネオジウム磁石で磁性シリカ粒子を１０秒間集め、試験管中の液をアスピレーターで除き、ネオジウム磁石を側面から十分に離し、生理食塩水０．５ｍＬを加えて磁性シリカ粒子を分散させて集磁後、アスピレーターで液を除く洗浄操作を３回行った。
【００６９】
続いて、０．５重量％の牛血清アルブミンを含有した標識試薬０．０２５ｍＬを試験管に注入し、試験管中で３７℃３分間反応させ、抗ＮＴ−ｐｒｏＢＮＰ抗体結合磁性シリカ粒子／ＮＴ−ｐｒｏＢＮＰ／ＰＯＤ標識抗ＮＴ−ｐｒｏＢＮＰ抗体複合体を形成させた。反応後、試験管の外側からネオジウム磁石で磁性シリカ粒子を１０秒間集め、試験管中の液をアスピレーターで除き、ネオジウム磁石を側面から十分に離し、生理食塩水０．５ｍＬを加えて磁性シリカ粒子を分散させて集磁後、アスピレーターで液を除く洗浄操作を２回行った。
最後に、化学発光試薬第１液０．０７ｍＬと化学発光試薬第２液０．０７ｍＬとを同時に加え、３７℃で４３秒間発光反応させ、化学発光試薬を添加後４３〜４５秒の平均発光量をルミノメーター［ベルトールドジャパン社製「Ｌｕｍａｔ  ＬＢ９５０７」］で測定し、シグナル値とした。
【００７０】
＜粒子組成物（Ｅ−１）〜（Ｅ−１０）及び（Ｈ−１）〜（Ｈ−８）のノイズの評価方法＞
「シグナルの評価方法」において、「標準ＮＴ−ｐｒｏＢＮＰ液０．０２５ｍＬ」に代えて「生理食塩水０．０２５ｍＬ」を用いる以外は同様にして、ノイズ値を測定した。
【００７１】
＜粒子組成物（Ｅ−１１）〜（Ｅ−３０）及び（Ｈ−９）〜（Ｈ−２８）の感度の評価方法＞
上記「シグナルの評価方法」及び「ノイズの評価方法」において、粒子組成物としてそれぞれ粒子組成物（Ｅ−１１）〜（Ｄ−３０）及び（Ｈ−９）〜（Ｈ−２８）を用いて、それぞれの粒子（Ｃ）の表面に固定化された抗体（Ｂ）に対応する測定対象物質として、それぞれ調製したＡＦＰ、ＣＥＡ、ＣＡ１９−９、ＦＴ３、ＦＴ４、Ｃ−ペプチド、インスリン、ＰＳＡ、トロポニンＴ、ＣＡ１２５、ＮＳＥ、ＣＡ１５−３、ＰＩＶＫＡ、Ｃｙｆｒａ、ＨＩＶ、ＨＣＶ抗体、ＴＲ抗体、Ｔｇ抗体、又はＴＰＯ抗体の標準液と反応させて抗体結合磁性シリカ粒子／測定対象物質複合体を形成させ、更にＮＴ−ｐｒｏＢＮＰと同様の条件にてそれぞれの標識抗体と免疫反応させて抗体結合磁性シリカ粒子／測定対象物質／ＰＯＤ標識抗体、又は、ＰＯＤ標識抗原複合体を形成させ、免疫測定し、感度を算出した。結果をそれぞれ表３〜６に示す。
【００７２】
表１及び表２の実施例１〜１０及び比較例１〜８との感度の比較から、本発明の粒子組成物（Ｅ−１）〜（Ｅ−１０）中のＮＴ−ｐｒｏＢＮＰポリクローナル抗体固定化粒子（１）〜（１０）は、比較用の粒子組成物（Ｈ−１）〜（Ｈ−８）中のＮＴ−ｐｒｏＢＮＰポリクローナル抗体固定化粒子に比べて、感度が２．１以上と高く、本発明の抗体固定化粒子は感度が向上していることがわかる。
また、表３〜６の実施例１１〜３０と比較例９〜２８との感度の比較から、抗体の種類を変えても、本発明の製造方法を用いることで、抗体固定化粒子中の抗体の感度が向上することがわかる。したがって、本発明の製造方法を用いれば、高感度化した測定が可能な抗原又は抗体固定化粒子及び免疫測定試薬が得られることが分かる。
【産業上の利用可能性】
【００７３】
本発明の抗原又は抗体固定化粒子の製造方法及び免疫測定試薬の製造方法によれば、感度の高い抗原又は抗体固定化粒子及び免疫測定試薬を得ることができるので、得られた粒子及び免疫測定試薬は、放射免疫測定法、酵素免疫測定法、蛍光免疫測定法及び化学発光免疫測定法等の臨床検査に幅広く適用できる。